(57)【特許請求の範囲】
【請求項１】
絶縁連続リング端子生産製造組立機であって、
操作台（１）と、下支持板（２）と、上支持板（３）と、連結フレーム（４）と、ロック機構（５）と、挟持機構（６）と、支持機構（７）と、を含み、
前記下支持板（２）は前記操作台（１）における後端の上部に取り付けられ、
前記上支持板（３）は前記下支持板（２）の真上に配置され、
前記上支持板（３）は前記連結フレーム（４）を介して、前記下支持板（２）に接続され、
前記連結フレーム（４）はＵ字型構造であり、
前記連結フレーム（４）は左から右に等間隔に配置され、
各前記連結フレーム（４）には、いずれも一つの前記挟持機構（６）が取り付けられ、
各前記挟持機構（６）の上方には、いずれも一つの前記ロック機構（５）が配列され、
前記ロック機構（５）は前記上支持板（３）に接続され、
前記支持機構（７）は前記下支持板（２）の前側に位置させ、
前記支持機構（７）は前記操作台（１）の上部に設置され、
前記支持機構（７）は、側板（７１）と、支持エジェクタピン（７２）と、プラテン（７３）と、エジェクタピン接続台（７４）と、を含み、
前記側板（７１）は、前記操作台（１）の前端上部に設置され、
前記側板（７１）には、前記支持エジェクタピン（７２）が穿通され、
前記支持エジェクタピン（７２）の前端は、前記エジェクタピン接続台（７４）を介して、前記側板（７１）の前側面に設置され、
前記支持エジェクタピン（７２）の後端には、前記プラテン（７３）が取り付けられ、
前記プラテン（７３）の後側面には、滑り止めパッドが設けられ、
前記ロック機構（５）は、穿通柱（５１）と、チャック（５２）と、中空柱（５３）と、伸縮柱（５４）と、位置規制フレーム（５５）と、ガイド板（５６）と、位置決め機構（５７）と、を含み、
前記穿通柱（５１）の中央部は前記上支持板（３）に滑合可能に穿通され、
前記穿通柱（５１）の内端には、上下対称に二つの位置決め溝が形成され、
前記穿通柱（５１）の位置決め溝には、前記位置決め機構（５７）が設けられ、
前記穿通柱（５１）の前側面には、前記チャック（５２）が取り付けられ、
前記チャック（５２）の底部には、前記中空柱（５３）が取り付けられ、
前記中空柱（５３）は、下端に開口する中空構造であり、
前記中空柱（５３）の左右両側には、いずれも一つの四角溝が形成され、
前記中空柱（５３）の前側面には、上から下へ四角穴が等間隔に形成され、
前記伸縮柱（５４）の上端は、前記中空柱（５３）の下端と滑合可能に連結され、
前記伸縮柱（５４）における上端の前側面には伸縮歯が設けられ、
前記伸縮柱（５４）の伸縮歯は前記中空柱（５３）に形成された四角穴に穿通され、
前記伸縮柱（５４）の左右側面には、いずれも一つの前記ガイド板（５６）が設けられ、
前記ガイド板（５６）の外端は円弧構造であり、
前記伸縮柱（５４）の後側面には、前記位置規制フレーム（５５）が設けられる、
ことを特徴とする絶縁連続リング端子生産製造組立機。
【請求項２】
前記挟持機構（６）は、挟持軸ピン（６１）と、クランプ爪（６２）と、爪エジェクタピン（７４）と、を含み、
前記挟持軸ピン（６１）は、前記下支持板（２）と前記上支持板（３）との間に設置され、
前記挟持軸ピン（６１）には、二つの前記クランプ爪（６２）が対称に設置され、
各前記クランプ爪（６２）の外端は、いずれも一つの前記爪エジェクタピン（７４）の上部とヒンジ接続され、
前記爪エジェクタピン（７４）の底部は、前記連結フレーム（４）における外端の前側面にヒンジ接続される、
ことを特徴とする請求項１に記載の絶縁連続リング端子生産製造組立機。
【請求項３】
前記クランプ爪（６２）は円弧構造で、
二つの前記クランプ爪（６２）が組み合わせて円筒構造を形成し、
前記クランプ爪（６２）の内側面には、係止歯が等間隔に設けられる、
ことを特徴とする請求項２に記載の絶縁連続リング端子生産製造組立機。
【請求項４】
前記クランプ爪（６２）の側壁には円形溝が対称に形成され、
各前記クランプ爪（６２）の内側面には、いずれも一つのクリップパッド（６４）が設けられ、
前記クリップパッド（６４）の外端には、場所取り柱（６５）が設置され、
前記場所取り柱（６５）は、前記クランプ爪（６２）の円形溝を貫通し、
前記場所取り柱（６５）の外端には、はしご形の伸縮歯が設けられ、
前記クリップパッド（６４）の外側面には、前記クランプ爪（６２）の係止歯と組み合わせる係止溝が形成される、
ことを特徴とする請求項２に記載の絶縁連続リング端子生産製造組立機。
【請求項５】
前記位置決め機構（５７）は、位置決め係合板（５７１）と、係合板バネ（５７２）と、位置決め体（５７３）と、押圧フレーム（５７４）と、押圧バネ（５７５）と、を含み、
前記穿通柱（５１）における各位置決め溝の内壁には、前記係合板バネ（５７２）を介して、前記位置決め係合板（５７１）が取り付けられ、
前記位置決め係合板（５７１）の外側面には、スライドブロックが設置され、
前記穿通柱（５１）の位置決め溝には、前記位置決め係合板（５７１）のスライドブロックに合わせた摺動溝が形成され、
前記位置決め係合板（５７１）における上部の前後両端には伸縮構造であり、
前記位置決め体（５７３）が等間隔に設置され前記位置決め体（５７３）は前記穿通柱（５１）の位置決め溝を貫通し、
前記押圧フレーム（５７４）は、前記穿通柱（５１）の後側に配置され、
前記押圧フレーム（５７４）は、Ｕ字型構造であり、
前記押圧フレーム（５７４）の前端は、それぞれ前記穿通柱（５１）の位置決め溝を貫通し、
前記押圧フレーム（５７４）における後端の中央部は、前記押圧バネ（５７５）を介して前記穿通柱（５１）の後側面に設置される、
ことを特徴とする請求項１に記載の絶縁連続リング端子生産製造組立機。
【請求項６】
前記位置決め係合板（５７１）における後端の外側には傾斜溝が設けられ、
前記押圧フレーム（５７４）における前端の内側には、前記位置決め係合板（５７１）の傾斜溝に合わせる三角形溝が形成される、
ことを特徴とする請求項５に記載の絶縁連続リング端子生産製造組立機。
【請求項７】
前記チャック（５２）の後側面には、スライド溝が対称に形成され、
前記チャック（５２）のスライド溝は、前記穿通柱（５１）の外側に位置させ、
前記チャック（５２）の各スライド溝には、いずれも一つの位置規制板（５２１）が滑合可能に連結され、
前記位置規制板（５２１）の前端は、位置規制バネ（５２２）を介して、前記チャック（５２）に形成されるスライド溝の上側壁に取り付けられる、
ことを特徴とする請求項１に記載の絶縁連続リング端子生産製造組立機。
【請求項８】
前記位置規制板（５２１）における後端の上側面は傾斜面であり、
前記位置規制板（５２１）の頂部は円弧面である、
ことを特徴とする請求項７に記載の絶縁連続リング端子生産製造組立機。
【発明の詳細な説明】
【技術分野】
【０００１】
本発明は、端子加工の技術分野に関し、特に絶縁連続リング端子生産製造組立機に関する。
【背景技術】
【０００２】
絶縁連続リング端子は、コールド端子に属し、電気接続を実現するために使用される部品である。電子コネクタやエアコネクタはすべて、絶縁連続リング端子に属する。
【０００３】
絶縁リング端子の下端の金属スリーブは絶縁スリーブで包まれ、絶縁スリーブ同士は絶縁テープで接続される。プレイスリング端子に絶縁スリーブを嵌着加工する従来の手段は、半手動で行うことが多く、連続リング端子をクランプにロックした後、人力でジャケットを利用して端子の金属スリーブを円形に折り曲げ、次に連続リング端子の下端の連帯部分を切断し、絶縁スリーブを連続リング端子の下端に嵌着する。最後にジャケットを利用して絶縁スリーブを緊密に押圧する。連続リング端子の加工に関する従来の技術的問題は次のとおりである。
【０００４】
一、従来のクランプは、連続リング端子の構造に応じてクランプすることができず、連続リング端子を加工する際に一定の変位が生じ、連続リング端子の加工効果に影響する。
【０００５】
二、ジャケットを使用して連続リング端子を折り曲げる時、端子の金属スリーブを弧状に曲げることができないため、端子を絶縁スリーブにスムーズに挿入できなくなるとともに、ジャケットが絶縁スリーブを締め付ける際の効果が悪い。
【先行技術文献】
【特許文献】
【０００６】
【特許文献１】中国特許出願公開第１０９０６６２６９号明細書
【発明の概要】
【発明が解決しようとする課題】
【０００７】
本発明は、上記の技術的課題を解決するために、絶縁連続リング端子生産製造組立機を提供することを目的とする。
【課題を解決するための手段】
【０００８】
上記の目的を実現するために、絶縁連続リング端子生産製造組立機であって、操作台と、下支持板と、上支持板と、連結フレームと、ロック機構と、挟持機構と、支持機構と、を含み、前記下支持板は前記操作台における後端の上部に取り付けられ、前記上支持板は前記下支持板の真上に配置され、前記上支持板は前記連結フレームを介して前記下支持板に接続され、前記連結フレームはＵ字型構造であり、前記連結フレームは左から右に等間隔に配置され、各前記連結フレームには、いずれも一つの前記挟持機構が取り付けられ、各前記挟持機構の上方には、いずれも一つの前記ロック機構が配列され、前記ロック機構は前記上支持板に接続され、前記支持機構は前記下支持板の前側に位置させ、前記支持機構は前記操作台の上部に設置され、本発明は、前記ロック機構と前記支持機構により、それぞれ連続リング端子の上下両端をロックすることができ、端子の金属スリーブを前記挟持機構によって円形に曲げることで、端子の下端に絶縁スリーブを外装し、絶縁スリーブを外装完了後、前記挟持機構が絶縁スリーブを緊密に押圧し、絶縁スリーブの端子から絶縁スリーブの脱落を防止することができる。
【０００９】
前記支持機構は、側板と、支持エジェクタピンと、プラテンと、エジェクタピン接続台と、を含む。前記側板は、前記操作台の前端上部に設置され、前記側板には前記支持エジェクタピンが穿通され、前記支持エジェクタピンの前端は、前記エジェクタピン接続台を介して前記側板の前側面に設置され、前記支持エジェクタピンの後端には前記プラテンが取り付けられ、前記プラテンの後側面には滑り止めパッドが設けられる。作動時に、前記支持機構は、端子の下端をロックすることができ、前記支持エジェクタピンを伸ばすことにより、前記プラテンは、端子の下端を前記下支持板の前側面にロックする。
【００１０】
前記ロック機構は、穿通柱と、チャックと、中空柱と、伸縮柱と、位置規制フレームと、ガイド板と、位置決め機構と、を含む。前記穿通柱の中央部は前記上支持板に滑合可能に穿通され、前記穿通柱の内端には上下対称に二つの位置決め溝が形成され、前記穿通柱の位置決め溝には前記位置決め機構が設けられ、前記穿通柱の前側面には前記チャックが取り付けられ、前記チャックの底部には前記中空柱が取り付けられる。
【００１１】
前記中空柱は、下端に開口する中空構造であり、前記中空柱の左右両側には、いずれも一つの四角溝が形成され、前記中空柱の前側面には、上から下へ四角穴が等間隔に形成され、前記伸縮柱の上端は、前記中空柱の下端と滑合可能に連結される。前記伸縮柱における上端の前側面には伸縮歯が設けられ、前記伸縮柱の伸縮歯は前記中空柱に形成された四角穴に穿通される。前記伸縮柱の左右側面には、いずれも一つの前記ガイド板が設けられ、前記ガイド板の外端は円弧構造であり、前記伸縮柱の後側面には、前記位置規制フレームが設けられる。実際作動時に、前記ロック機構により端子における上端の円形突起をロックすることができ、まず前記穿通柱を前記上支持板に穿通し、前記位置決め機構が前記穿通柱を位置決めし、前記チャックは端子における円形突起の前側面に引っかかることができ、次に、前記伸縮柱の伸縮歯を手動で押し、前記伸縮柱を調整して前記中空柱における適切な四角穴にロックし、前記伸縮柱に設けられた前記位置規制フレームは、端子における中央部の前側面に押し付けられ、金属スリーブの中央部が曲げられる時に変位することが回避され、前記ガイド板の円弧構造は、端子の金属スリーブを曲げるときに、ガイドの役割を果たすことができ、端子の金属スリーブを弧状に曲げて、絶縁スリーブを端子の金属スリーブに外装することができる。
【００１２】
本発明の好ましい技術的解決策として、前記挟持機構は、挟持軸ピンと、クランプ爪と、爪エジェクタピンと、を含む。前記挟持軸ピンは、前記下支持板と前記上支持板との間に設置される。前記挟持軸ピンには、二つの前記クランプ爪が対称に設置され、各前記クランプ爪の外端はいずれも一つの前記爪エジェクタピンの上部とヒンジ接続され、前記爪エジェクタピンの底部は前記連結フレームにおける外端の前側面にヒンジ接続される。作動時に、前記爪エジェクタピンの伸縮運動によって、前記クランプ爪が回転し、前記クランプ爪は、前記ガイド板の円弧構造に沿って端子の円弧状金属スリーブを折り曲げることができる。
【００１３】
本発明の好ましい技術的解決策として、前記クランプ爪は円弧構造で、二つの前記クランプ爪が組み合わせて円筒構造を形成する。前記クランプ爪の内側面には、係止歯が等間隔に設けられ、前記クランプ爪の係止歯は、前記組立機の端子に対する折り曲げ効果を増加させることができる。
【００１４】
本発明の好ましい技術的解決策として、前記クランプ爪の側壁には円形溝が対称に形成され、各前記クランプ爪の内側面にはいずれも一つのクリップパッドが設けられ、前記クリップパッドの外端には、場所取り柱が設置され、前記場所取り柱は前記クランプ爪の円形溝を貫通し、前記場所取り柱の外端にははしご形の伸縮歯が設けられ、前記クリップパッドの外側面には、前記クランプ爪の係止歯と組み合わせる係止溝が形成される。端子が折り曲げられた後、前記爪エジェクタピンを収縮させ、絶縁スリーブが端子の下端に外装される時の前記クランプ爪からの阻害作用を防ぐ。絶縁スリーブを外装した後、前記場所取り柱を介して、前記クリップパッドを前記クランプ爪の円形溝に穿通し、前記クリップパッドに形成された係止溝は、前記クリップパッドと前記クランプ爪の内側面とを密着させることができ、前記クリップパッドは、前記クランプ爪の絶縁スリーブへの挟持強度を増大させ、絶縁スリーブを端子の金属スリーブにぴったりとくっつけることができる。
【００１５】
本発明の好ましい技術的解決策として、前記位置決め機構は、位置決め係合板と、係合板バネと、位置決め体と、押圧フレームと、押圧バネと、を含む。前記穿通柱における各位置決め溝の内壁には、前記係合板バネを介して、前記位置決め係合板が取り付けられる。前記位置決め係合板の外側面には、スライドブロックが設置される。前記穿通柱の位置決め溝には、前記位置決め係合板のスライドブロックに合わせた摺動溝が形成され、前記位置決め係合板における上部の前後両端には伸縮構造である。前記位置決め体が等間隔に設置され、前記位置決め体は前記穿通柱の位置決め溝を貫通する。
【００１６】
前記押圧フレームは、前記穿通柱の後側に配置される。前記押圧フレームは、Ｕ字型構造である。前記押圧フレームの前端は、それぞれ前記穿通柱の位置決め溝を貫通し、前記押圧フレームにおける後端の中央部は、前記押圧バネを介して前記穿通柱の後側面に設置される。作動時に、前記位置決め機構の前記位置決め体が前記上支持板の左右両端に係止されることで、前記穿通柱の位置を規制し、前記穿通柱は、端子における円形突起の前側面にぴったりとくっつけることができる。
【００１７】
本発明の好ましい技術的解決策として、前記位置決め係合板における後端の外側には傾斜溝が設けられ、前記押圧フレームにおける前端の内側には、前記位置決め係合板の傾斜溝に合わせる三角形溝が形成される。前記穿通柱を前記上支持板から取り外す場合、前記押圧フレームを内側に押し、前記位置決め係合板の三角形溝が、前記位置決め係合板における後端の傾斜溝と組み合わせ、前記位置決め係合板を押し下げることができ、前記位置決め係合板が前記位置決め体を連動させて内側に移動し、前記穿通柱を前記上支持板から取り外すことができる。
【００１８】
本発明の好ましい技術的解決策として、前記チャックの後側面には、スライド溝が対称に形成され、前記チャックのスライド溝は、前記穿通柱の外側に位置し、前記チャックの各スライド溝には、いずれも一つの位置規制板が滑合可能に連結され、前記位置規制板の前端は、位置規制バネを介して、前記チャックに形成されるスライド溝の上側壁に取り付けられる。前記チャックに設置された前記位置規制板は、端子における円形突起の初期位置を規制することができ、前記穿通柱を端子における円形突起の中心位置に位置させることにより、端子の円形突起に対する係止圧着効果が増大する。
【００１９】
本発明の好ましい技術的解決策として、前記位置規制板における後端の上側面は傾斜面であり、前記位置規制板の頂部は円弧面である。前記位置規制板の傾斜溝がガイド機能を果たすことで、前記位置規制板は自動的に伸縮することができ、前記位置規制板の円弧面は、端子における円形突起の内側面に張り合わせることができる。
【発明の効果】
【００２０】
一、本発明は、連続端子の構造に対して全方位ロック動作を行うことができ、連続端子を絶縁スリーブに挿入する前に端子の金属スリーブを弧状に折り曲げ、連続端子と絶縁スリーブとの接続効果を増加させることができる。本発明は、パッドを設置することで、絶縁スリーブに挿入された端子を挟持固定し、端子と絶縁スリーブとの間の密着性を増す。
【００２１】
二、本発明は、伸縮柱の位置規制フレームを端子における中央部の前側面に押し付け、端子における金属スリーブの中央部が折り曲げられる際に変位することが防止される。ガイド板の円弧構造は、端子の金属スリーブに対し折り曲げ動作を行う時にガイド機能を果たすことができ、これにより端子の金属スリーブを円弧状に曲げ、絶縁スリーブを端子の金属スリーブに外装し、端子と絶縁スリーブの挿入効果を増大する。
【００２２】
三、本発明は、場所取り柱を介して、クリップパッドをクランプ爪の円形溝に穿通し、前記クリップパッドに形成された係止溝は、前記クリップパッドと前記クランプ爪の内側面とを密着させることができ、前記クリップパッドは、前記クランプ爪の絶縁スリーブへの挟持強度を増大させ、絶縁スリーブを端子の金属スリーブにぴったりとくっつけることができる。
【００２３】
四、本発明は、チャックに設置された位置規制板は、端子における円形突起の初期位置を規制することができ、穿通柱を端子における円形突起の中心位置に位置させることにより、端子の円形突起に対する係止圧着効果が増大する。
【図面の簡単な説明】
【００２４】
本願に記載の各方向が、図１と同じ向きに装置を見た際の方向である。
【００２５】
【図１】本発明の第一構造概略図である。
【図２】本発明の第二構造概略図である。
【図３】本発明の穿通柱と、チャックと、位置決め機構と、上支持板との間の断面構造概略図である。
【図４】本発明の下支持板と、上支持板と、連結フレームとの間の構造概略図である。
【図５】本発明の中空柱と、伸縮柱と、位置規制フレームと、ガイド板との間の構造概略図である。
【図６】本発明の絶縁連続リング端子の構造概略図である。
【図７】本発明の絶縁連続リング端子に絶縁スリーブを嵌着した構造概略図である。
【発明を実施するための形態】
【００２６】
本発明の実現する技術的手段、創作特徴、達成目的及び効果を明らかにするため、以下に具体的な図面を参照しながら本発明をさらに説明する。なお、衝突しない場合、本願において実施例及び実施例の特徴は、互いに結合していてもよい。
【００２７】
図１から図７に示すように、絶縁連続リング端子生産製造組立機は、操作台１と、下支持板２と、上支持板３と、連結フレーム４と、ロック機構５と、挟持機構６と、支持機構７と、を含む。前記下支持板２が前記操作台１における後端の上部に取り付けられ、前記上支持板３は前記下支持板２の真上に配置され、前記上支持板３は前記連結フレーム４を介して前記下支持板２に接続される。前記連結フレーム４はＵ字型構造であり、前記連結フレーム４は左から右に等間隔に配置され、各前記連結フレーム４には、いずれも一つの前記挟持機構６が取り付けられ、各前記挟持機構６の上方には、いずれも一つの前記ロック機構５が配列され、前記ロック機構５は前記上支持板３に接続され、前記支持機構７は前記下支持板２の前側に位置し、前記支持機構７は前記操作台１の上部に設置される。本発明は、前記ロック機構５と前記支持機構７により、それぞれ連続リング端子の上下両端をロックすることができる。端子の金属スリーブを前記挟持機構６によって円形に曲げることで、端子の下端に絶縁スリーブを外装する。絶縁スリーブを外装完了後、前記挟持機構６が絶縁スリーブを緊密に押圧し、絶縁スリーブの端子から絶縁スリーブの脱落を防止することができる。
【００２８】
前記ロック機構５は、穿通柱５１と、チャック５２と、中空柱５３と、伸縮柱５４と、位置規制フレーム５５と、ガイド板５６と、位置決め機構５７と、を含む。前記穿通柱５１の中央部は前記上支持板３に滑合可能に穿通され、前記穿通柱５１の内端には上下対称に二つの位置決め溝が形成され、前記穿通柱５１の位置決め溝には前記位置決め機構５７が設けられ、前記穿通柱５１の前側面には前記チャック５２が取り付けられ、前記チャック５２の底部には前記中空柱５３が取り付けられる。
【００２９】
前記中空柱５３は、下端に開口する中空構造であり、前記中空柱５３の左右両側には、いずれも一つの四角溝が形成され、前記中空柱５３の前側面には、上から下へ四角穴が等間隔に形成され、前記伸縮柱５４の上端は、前記中空柱５３の下端と滑合可能に連結される。前記伸縮柱５４における上端の前側面には伸縮歯が設けられ、前記伸縮柱５４の伸縮歯は前記中空柱５３に形成された四角穴に穿通される。前記伸縮柱５４の左右側面には、いずれも一つの前記ガイド板５６が設けられ、前記ガイド板５６の外端は円弧構造であり、前記伸縮柱５４の後側面には、前記位置規制フレーム５５が設けられる。実際作動時に、前記ロック機構５により端子における上端の円形突起をロックすることができ、まず前記穿通柱５１を前記上支持板３に穿通し、前記位置決め機構５７が前記穿通柱５１を位置決めし、前記チャック５２は端子における円形突起の前側面に引っかかることができ、次に、前記伸縮柱５４の伸縮歯を手動で押し、前記伸縮柱５４を調整して前記中空柱５３における適切な四角穴にロックし、前記伸縮柱５４に設けられた前記位置規制フレーム５５は、端子における中央部の前側面に押し付けられ、金属スリーブの中央部が曲げられる時に変位することが回避され、前記ガイド板５６の円弧構造は、端子の金属スリーブを曲げるときに、ガイドの役割を果たすことができ、端子の金属スリーブを弧状に曲げて、絶縁スリーブを端子の金属スリーブに外装することができる。
【００３０】
前記チャック５２の後側面には、スライド溝が対称に形成され、前記チャック５２のスライド溝は、前記穿通柱５１の外側に位置し、前記チャック５２の各スライド溝には、いずれも一つの位置規制板５２１が滑合可能に連結され、前記位置規制板５２１の前端は、位置規制バネ５２２を介して、前記チャック５２に形成されるスライド溝の上側壁に取り付けられる。前記チャック５２に設置された前記位置規制板５２１は、端子における円形突起の初期位置を規制することができ、前記穿通柱５１を端子における円形突起の中心位置に位置させることにより、端子の円形突起に対する係止圧着効果が増大する。
【００３１】
前記位置規制板５２１における後端の上側面は傾斜面であり、前記位置規制板５２１の頂部は円弧面である。前記位置規制板５２１の傾斜溝がガイド機能を果たすことで、前記位置規制板５２１は自動的に伸縮することができ、前記位置規制板５２１の円弧面は、端子における円形突起の内側面に張り合わせることができる。
【００３２】
前記支持機構７は、側板７１と、支持エジェクタピン７２と、プラテン７３と、エジェクタピン接続台７４と、を含む。前記側板７１は、前記操作台１の前端上部に設置され、前記側板７１には前記支持エジェクタピン７２が穿通され、前記支持エジェクタピン７２の前端は、前記エジェクタピン接続台７４を介して前記側板７１の前側面に設置され、前記支持エジェクタピン７２の後端には前記プラテン７３が取り付けられ、前記プラテン７３の後側面には滑り止めパッドが設けられる。作動時に、前記支持機構７は、端子の下端をロックすることができ、前記支持エジェクタピン７２を伸ばすことにより、前記プラテン７３は、端子の下端を前記下支持板２の前側面にロックする。
【００３３】
前記挟持機構６は、挟持軸ピン６１と、クランプ爪６２と、爪エジェクタピン６３と、を含む。前記挟持軸ピン６１は、前記下支持板２と前記上支持板３との間に設置される。前記挟持軸ピン６１には、二つの前記クランプ爪６２が対称に設置され、各前記クランプ爪６２の外端はいずれも一つの前記爪エジェクタピン６３の上部とヒンジ接続され、前記爪エジェクタピン６３の底部は前記連結フレーム４における外端の前側面にヒンジ接続される。作動時に、前記爪エジェクタピン６３の伸縮運動によって、前記クランプ爪６２が回転し、前記クランプ爪６２は、前記ガイド板５６の円弧構造に沿って端子の円弧状金属スリーブを折り曲げることができる。
【００３４】
前記クランプ爪６２は円弧構造で、二つの前記クランプ爪６２が組み合わせて円??筒構造を形成する。前記クランプ爪６２の内側面には、係止歯が等間隔に設けられ、前記クランプ爪６２の係止歯は、前記組立機の端子に対する折り曲げ効果を増加させることができる。
【００３５】
前記クランプ爪６２の側壁には円形溝が対称に形成され、各前記クランプ爪６２の内側面にはいずれも一つのクリップパッド６４が設けられ、前記クリップパッド６４の外端には、場所取り柱６５が設置され、前記場所取り柱６５は前記クランプ爪６２の円形溝を貫通し、前記場所取り柱６５の外端にははしご形の伸縮歯が設けられ、前記クリップパッド６４の外側面には、前記クランプ爪６２の係止歯と組み合わせる係止溝が形成される。端子が折り曲げられた後、前記爪エジェクタピン６３を収縮させ、絶縁スリーブが端子の下端に外装される時の前記クランプ爪６２からの阻害作用を防ぐ。絶縁スリーブを外装した後、前記場所取り柱６５を介して、前記クリップパッド６４を前記クランプ爪６２の円形溝に穿通し、前記クリップパッド６４に形成された係止溝は、前記クリップパッド６４と前記クランプ爪６２の内側面とを密着させることができ、前記クリップパッド６４は、前記クランプ爪６２の絶縁スリーブへの挟持強度を増大させ、絶縁スリーブを端子の金属スリーブにぴったりとくっつけることができる。
【００３６】
前記位置決め機構５７は、位置決め係合板５７１と、係合板バネ５７２と、位置決め体５７３と、押圧フレーム５７４と、押圧バネ５７５と、を含む。前記穿通柱５１における各位置決め溝の内壁には、前記係合板バネ５７２を介して、前記位置決め係合板５７１が取り付けられる。前記位置決め係合板５７１の外側面には、スライドブロックが設置される。前記穿通柱５１の位置決め溝には、前記位置決め係合板５７１のスライドブロックに合わせた摺動溝が形成され、前記位置決め係合板５７１における上部の前後両端には伸縮構造である。前記位置決め体５７３が等間隔に設置され、前記位置決め体５７３は前記穿通柱５１の位置決め溝を貫通する。
【００３７】
前記押圧フレーム５７４は、前記穿通柱５１の後側に配置される。前記押圧フレーム５７４は、Ｕ字型構造である。前記押圧フレーム５７４の前端は、それぞれ前記穿通柱５１の位置決め溝を貫通し、前記押圧フレーム５７４における後端の中央部は、前記押圧バネ５７５を介して前記穿通柱５１の後側面に設置される。作動時に、前記位置決め機構５７の前記位置決め体５７３が前記上支持板３の左右両端に係止されることで、前記穿通柱５１の位置を規制し、前記穿通柱５１は、端子における円形突起の前側面にぴったりとくっつけることができる。
【００３８】
前記位置決め係合板５７１における後端の外側には傾斜溝が設けられ、前記押圧フレーム５７４における前端の内側には、前記位置決め係合板５７１の傾斜溝に合わせる三角形溝が形成される。前記穿通柱５１を前記上支持板３から取り外す場合、前記押圧フレーム５７４を内側に押し、前記位置決め係合板５７１の三角形溝が、前記位置決め係合板５７１における後端の傾斜溝と組み合わせ、前記位置決め係合板５７１を押し下げることができ、前記位置決め係合板５７１が前記位置決め体５７３を連動させて内側に移動し、前記穿通柱５１を前記上支持板３から取り外すことができる。
【００３９】
作業する時には、まず連続端子の金属スリーブを前向きに前記下支持板２の前側面に置き、前記押圧フレーム５７４を内側に押し動かし、前記穿通柱５１を前記上支持板３に穿通し、前記位置決め機構５７の前記位置決め体５７３が前記穿通柱５１の初期位置を位置決めし、前記チャック５２は端子における円形突起の前側面に引っかかり、次に前記伸縮柱５４の伸縮歯を手動で押することによって、前記伸縮柱５４を前記中空柱５３における適切な四角穴にロックし、前記伸縮柱５４の前記位置規制フレーム５５を端子における中央部の前側面に押し付け、端子における金属スリーブの中央部が折り曲げられる際に変位することが防止される。前記ガイド板５６の円弧構造は、端子の金属スリーブに対し折り曲げ動作を行う時にガイド機能を果たすことができ、これにより端子の金属スリーブを円弧状に曲げ、絶縁スリーブを端子の金属スリーブに外装し、さらに前記支持エジェクタピン７２を伸ばし、前記プラテン７３が端子の下端を前記下支持板２の前側面にロックすることができる。
【００４０】
端子がロックされると、前記クランプ爪６２は、前記爪エジェクタピン６３の伸縮運動によって回転し、前記クランプ爪６２は、前記ガイド板５６の円弧構造に沿って端子の金属スリーブを曲げ、次に、前記支持機構7の端子の下端に対するロック動作を解除し、カッターで連続端子の下端にある連帯部分を切除し、端子の金属スリーブに連続絶縁端子を手動で挿入し、前記場所取り柱６５を介して、前記クリップパッド６４を前記クランプ爪６２の円形溝に穿通し、前記クランプ爪６２を制御して絶縁スリーブを締め付ける。前記クリップパッド６４は、前記クランプ爪６２の絶縁スリーブへのクランプ強度を高め、絶縁スリーブを端子の金属スリーブにぴったりとくっつけることができる。
【００４１】
本発明は、連続端子の構造に対して全方位ロック動作を行うことができ、連続端子を絶縁スリーブに挿入する前に端子の金属スリーブを弧状に折り曲げ、連続端子と絶縁スリーブとの接続効果を増加させることができる。本発明は、パッドを設置することで、絶縁スリーブに挿入された端子を挟持固定し、端子と絶縁スリーブとの間の密着性を増す。
【００４２】
本発明の基本原理、主な特徴および利点について上述のように詳細に説明したが、本発明は上記の実施形態に限定されないことを、当業者は理解すべきであり、上記の実施形態および明細書の説明は、本発明の原理を例示するに過ぎない。本発明の精神および範囲から逸脱することなく、本発明もまた、様々な変更および改良があり、これらの変更および改良は、本発明の特許請求の範囲内にある。本発明の保護範囲は、添付の特許請求の範囲およびそれらの均等物によって定義される。
【図１】
0006961141.tif 000002
【図２】
0006961141.tif 000003
【図３】
0006961141.tif 000004
【図４】
0006961141.tif 000005
【図５】
0006961141.tif 000006
【図６】
0006961141.tif 000007
【図７】
0006961141.tif 000008